Podtech/llm-jp-corpus-v4-ja_patent huggingface dataset:
(57)【要約】      （修正有）【課題】インテリアの一部としてとらえられる室内用ゴミ箱を提供する。【解決手段】箱状や筒状ではなく、意匠性をポイントに金属や樹脂類をはじめとする素材で台座をつくり、そこに同素材の螺旋状に意匠を施した支柱を取り付けこれを外枠とする。そこにポリエチレン素材を蛇腹状に成型し、外枠の意匠にふさわしい色彩に着色した円筒状の容器をセットすることで優れた意匠性を実現する。その内側に、再生紙をもとに円筒場容器と同様な蛇腹状に成型し防水加工を施した紙容器を２０〜３０枚重ねてセットし、その紙容器にゴミを捨て、いっぱいになると一枚一枚取り出して棄てられるようにする。高い意匠性や装飾性を確保しながら、子どもや高齢者をはじめ誰もが簡単にセットと取り出しができるため、ゴミ箱としての利便性と衛生面もこれまで以上に高めることができる。【選択図】図３
2016079031.tif 000002
【特許請求の範囲】
【請求項１】
アルミ等の金属類、あるいはプラスティック等樹脂類、木等天然素材を成型着色した台座に同じ素材の螺旋形に意匠を施した線状の支柱を取り付け、これを外枠としたゴミ箱本体と、ポリエチレン素材を蛇腹状に成型し、外枠の意匠それぞれにふさわしい色彩に着色したゴミ箱本体内にセットする円筒状の容器、およびそれと同じ形状で再生紙を素材に防水加工した内容器を２０〜３０枚重ねて外側の容器内側にセットする、これまでにない高い意匠性と利便性を有するゴミ箱。
【請求項２】
ゴミ箱がいっぱいになれば、内側の紙容器を一枚一枚取り出して棄てることができるゴミ箱の方式。
【請求項３】
既存のゴミ箱にも成型次第で利用可能な再生紙を利用し防水加工を施した蛇腹状の内側の容器。
【発明の詳細な説明】
【技術分野】
【０００１】本発明は、従来のゴミ箱にない形状と高い意匠性を持つ外容器に、利便性の高い使い捨ての紙容器をセットし、インテリア性と機能性を兼ね備えたゴミ箱である。
【背景技術】
【０００２】従来の家庭用室内ゴミ箱は円柱形あるいは方形で、ゴミ箱としての機能性を追求したものであり、意匠といっても、色や絵柄で変えている程度だった。【０００３】また、ほとんどのゴミ箱が直接ゴミを次から次へと押し込んで捨てるため、ゴミが圧縮されて捨てる時に取り出しにくく、また、ゴミ箱の内側が汚れやすい欠点があった。よくスーパーのビニール袋などを内側に装着して使うことでその欠点を解消しているが、一回一回の装着が面倒だった。
【発明の概要】
【発明が解決しようとする課題】
【０００４】従来の室内用ゴミ箱は、そのほとんどがただゴミ箱としての機能を持たせただけの無機質なプラスティック、アルミ、籐、竹あるいは木製の円筒、または方形立方体の形状で、着色したカラフルなものもあるが、一様にゴミ箱としてのデザイン性に乏しく、室内の装飾性を損うため、手元に必要なのに見えない所に置かれたり、隠したりするため、捨てるのに不便であった。【０００５】また、内側の汚れとゴミを捨てる時に便利なようにビニール袋など内袋を装着するが、捨てる都度装着し直さなければならず、さらに内袋がない場合はゴミをそのまま捨てることとなり、それが重なるとゴミ箱の内側が見た目も汚くなり、かつ大変不衛生である。【０００６】本発明は、これら従来のゴミ箱が有していた問題を解決するものであり、ゴミ箱としての機能性はもちろん、画期的な形状と意匠性を有することで室内の装飾に応え、カートリッジ式という独自の構造によって利便性や衛生面の向上を実現することを目的とするものである。
【課題を解決するための手段】
【０００７】これらの欠点や課題を解決し利便性を持たせるため、アルミ等の金属類、あるいはプラスティック等樹脂類、木等天然素材を成型着色した台座に同じ素材の螺旋形に意匠を施した線状の支柱を取り付け、これを外枠とする（図１）。面ではなく線で構成するという、これまでにない手段により、高い意匠性を実現するものである。【０００８】その内側にポリエチレン素材を蛇腹状に成型し、外枠の意匠それぞれにふさわしい色彩に着色した円筒状の容器をつくりセット。これを外側の容器とする。その内側に同じ形状の再生紙を素材に防水加工した内容器を２０〜３０枚重ねて外側の容器内側にセットする。ゴミ等がいっぱいになるとその紙容器を一枚ずつ取り出すようにすることで、容器を汚さず、しかも簡単に通常の大型ごみ袋に捨てられるようにする。紙容器は誰もが容易にセットでき、かつカートリッジ式のように簡単に取り出せるため、これまで以上に利便性と衛生面を高めることができる。
【発明の効果】
【０００９】内の紙容器も外側の容器と同様に蛇腹状にすることで密着度が良く、容量も広がって大きくなるとともに、防水加工を施すことにより、ゴミに含まれている水分が浸透して下の紙を汚すこともない。また、市民の知恵として内側の汚れを防ぐためにスーパーの袋等ビニール袋を内側に入れ入口で折り返して使っているが、その必要もなくなり、見た目も衛生的にもきれいにでき、しかもゴミを捨てる都度セットするという手間もなくなる。【００１０】なにより従来のゴミ箱のように無機質な円筒形や方形立方体のような単なる造形ではなく、高いデザイン性と配色（図３）を備え、その存在自体が部屋の調度品的インテリアとしての価値を持たせ、部屋の雰囲気を変えるものである。【００１１】加えて、この２０〜３０枚の防水加工済み紙容器は、この外枠のみならず、その形状と大きさを他のゴミ箱のサイズに合わせて別途製造することにより、従来の大小様々な室内用ゴミ箱の内袋としても適用させることができ、見た目のおさまり良さはもちろん一回一回の設置の手間が省け、大変便利なものである。
【図面の簡単な説明】
【図１】１．アルミ等の金属類、あるいはプラスティック等樹脂類、木等天然素材を成型着色した台座に同じ素材で螺旋形に意匠を施した線状の支柱を取り付けた当該ゴミ箱の外枠の斜視図  ２〜３．外枠の設計図
【図２】１．当該ゴミ箱の外枠にセットするポリエチレン製外容器の斜視図と設計図  ２．当該ゴミ箱の再生紙利用の内容器の設計図とそれをセットし重ねた斜視図と立面図
【図３】当該ゴミ箱の外枠に外容器、内容器をセットした時の斜視図
【図４】１〜８．当該ゴミ箱の外枠、およびそれにセットされた外容器、内容器の意匠とそれぞれに合った色を組み合わせた完成形の斜視図
【図１】
2016079031.tif 000003
2016079031.tif 000004
2016079031.tif 000005
【図２】
2016079031.tif 000006
2016079031.tif 000007
【図３】
2016079031.tif 000008
【図４】
2016079031.tif 000009
2016079031.tif 000010
2016079031.tif 000011
2016079031.tif 000012
(57)【要約】【課題】アレルギー症状を起こしにくい医薬品、化粧品を提供する。【解決手段】医薬品及び化粧品は、酸性又はアルカリ性から選ばれる第１の極性を有する液体と、分子集合体及び第１の極性とは逆の極性の第２の極性のアミノ酸を含有する液体と、を含む。（１）酸性又はアルカリ性から選ばれる第１の極性を有する液体を調製し、（２）分子集合体及び第１の極性とは逆の極性の第２の極性のアミノ酸を含有する液体を調製し、（３）（１）の液体と（２）の液体を混合することにより製造される。【選択図】なし【特許請求の範囲】
【請求項１】
酸性又はアルカリ性から選ばれる第１の極性を有する液体と、
分子集合体及び前記第１の極性とは逆の極性の第２の極性のアミノ酸を含有する液体と、
を含む医薬品。
【請求項２】
酸性又はアルカリ性から選ばれる第１の極性を有する液体と、
分子集合体及び前記第１の極性とは逆の極性の第２の極性のアミノ酸を含有する液体と、
を含む化粧品。
【発明の詳細な説明】
【技術分野】
【０００１】
本発明は、医薬品及び化粧品に関する。
【背景技術】
【０００２】
医薬品又は化粧品において、有効成分を細胞に搬送する担持体としてリポソームやエマルションが従来用いられている。
【０００３】
皮膚科領域においては、これらの担持体を含有する基剤にはポリマーゲルが用いられることが多かった（例えば、特許文献１）。
【０００４】
しかし、ポリマーゲルはアレルギー症状や、かゆみ、腫れなどを引き起こすことがある。
【先行技術文献】
【特許文献】
【０００５】
【特許文献１】特表２００７−５３６２０５号公報
【発明の概要】
【発明が解決しようとする課題】
【０００６】
従って、アレルギー症状を起こしにくい医薬品、化粧品が求められている。
【発明の効果】
【０００７】
本発明によれば、酸性又はアルカリ性から選ばれる第１の極性を有する液体と、分子集合体及び前記第１の極性とは逆の極性の第２の極性のアミノ酸を含有する液体と、を含む医薬品が提供される。
【発明を実施するための形態】
【０００８】
以下、本発明の一実施形態に係る医薬品及び化粧品（以下、医薬担持体という。）について説明する。
【０００９】
医薬担持体は次のように製造される。
【００１０】
（１）酸性又はアルカリ性から選ばれる第１の極性を有する液体を調製し、
（２）分子集合体及び第１の極性とは逆の極性の第２の極性のアミノ酸を含有する液体を調製し、
（３）（１）の液体と（２）の液体を混合することにより製造される。
【００１１】
第１の極性を有する液体は、公知のｐｈ調整剤を含む。第１の極性を有する液体は、例えばリン酸バッファ又はＴｒｉｓ−ＨＣｌバッファであってよい。
【００１２】
分子集合体は、例えばエマルション、多層エマルション、ベシクル、リポソームなどが挙げられる。医薬の有効成分はこの分子集合体に内包される。
【００１３】
第２の極性を有するアミノ酸は次のように選択される。
【００１４】
第１の極性を有する液体が酸性である場合、アルカリ性のアミノ酸が選択される。アルカリ性のアミノ酸としては、アルギニン、ヒスジン、リシンの中から１種類以上選択される。
【００１５】
第１の極性を有する液体がアルカリ性である場合、酸性のアミノ酸が選ばれる。酸性のアミノ酸としては、アスパラギン酸、グルタミン酸の中から１種類以上選ばれる。
【００１６】
酸性又はアルカリ性から選ばれる第１の極性を有する液体と、第２の極性のアミノ酸を含有する液体と、を混合すると、アミノ酸は鹸化してゲル状になる。アミノ酸及びｐｈ調整剤はアレルギーを起こすことが少ない。
【００１７】
従って、アレルギーを引き起こす可能性が低い、分子集合体を含有する医薬品及び化粧品を製造することが可能となる。
【００１８】
なお、本発明の医薬担持体には、上記の成分以外にアレルゲン以外の成分を含有していてもよい。
【実施例】
【００１９】
以下の実施例は、室温（１９°〜２５℃）、標準状体において調製される。百分率は重量％を示す。
【００２０】
（実施例１）
（１）酸性又はアルカリ性から選ばれる第１の極性を有する液体
リン酸バッファ：ｐｈ５〜６．５
（２）分子集合体及び第１の極性とは逆の極性の第２の極性のアミノ酸を含有する液体
（Ａ）分子集合体含有水溶液
リン脂質とコレステロールにより、アンピシリンを内包するリポソームを、アンピシリンの終濃度が１０％になるように調製する。
（Ｂ）アミノ酸
アルギニン、ヒスジン、リシンの等分混合物を終濃度が０．０１％になるように（Ａ）に混合する。
（３）基剤の調製
（１）に（２）を混合し、ゲル化させる。
（４）添加剤
キレート剤：ＥＤＴＡ終濃度０．１％
香料
着色料
防腐剤
【００２１】
（実施例２）
（１）酸性又はアルカリ性から選ばれる第１の極性を有する液体
Ｔｒｉｓ−Ｈｃｌバッファ：ｐｈ７．５〜８
（２）分子集合体及び第１の極性とは逆の極性の第２の極性のアミノ酸を含有する液体
（Ａ）分子集合体含有水溶液
【００２２】
リン脂質とコレステロールにより、アンピシリンを内包するリポソームを、アンピシリンの終濃度が１０％になるように調製する。
（Ｂ）アミノ酸
アスパラギン酸、グルタミン酸の等分混合物を終濃度が０．０１％になるように（Ａ）に混合する。
（３）基剤の調製
（１）に（２）を混合し、ゲル化させる。
（４）添加剤
キレート剤：ＥＤＴＡ終濃度０．１％
香料
着色料
防腐剤
【００２３】
（比較例１）
リン酸バッファにアンピシリンを終濃度１０％になるように調製した。
また、以下の添加剤を加えた。
キレート剤：ＥＤＴＡ終濃度０．１％
香料
着色料
防腐剤
【００２４】
（比較例２）
Ｔｒｉｓ−ＨＣｌバッファにアンピシリンを終濃度１０％になるように調製した。
また、以下の添加剤を加えた。
キレート剤：ＥＤＴＡ終濃度０．１％
香料
着色料
防腐剤
【００２５】
（比較例３）
上記の比較例１にリュブラジェル（Ｌｕｂｒａｊｅｌ  ＭＳ）を終濃度１０％になるように添加してゲル化した。
【００２６】
（比較例４）
上記の比較例２にリュブラジェル（Ｌｕｂｒａｊｅｌ  ＭＳ）を終濃度１０％になるように添加してゲル化した。
【００２７】
（試験１）
上記の各例を、１０人に対し、肌に０．０５ｍｌを１に６回、１週間塗布する試験を行った。
【００２８】
比較例３、及び４については１名が痒みを訴えたが、実施例１及び実施例２ではかゆみなどを訴える者はいなかった。
(57)【要約】【課題】現在、日本には膨大な金券と権利が存在している。ＩＴ化が進み電子商取引の取引高が年々増加しているにも関わらず電子商取引における金券・権利の流通は皆無である。膨大な金券と権利を電子商取引で流通させることで日本経済を活性化させなければならない。【解決手段】金券・権利を決済に使用したいユーザーとネットショップ・店舗、事業所・代理店・簡易ブースを通信でつなぐことにより金券・権利を管理する組織を構築する。金券・権利に関する情報、個人情報、注文情報を共有することにより取引を安全かつ迅速に行うことができる。情報の変更・書き込みをネットショップ・店舗に限定する。通信により金券・権利を管理し迅速かつ安全に取引を行える状態を構築することで、金券・権利が流通している状態を表現できる。【選択図】図１
2016164765.tif 000002
【特許請求の範囲】
【請求項１】
電子商取引において金券・権利を使って決済を行うことを特徴とする。
【請求項２】
金券・権利の引渡しは、持ち込みもしくは発送で行うことを特徴とする。
【請求項３】
金券・権利の管理は、通信を使って行うことを特徴とする。
【発明の詳細な説明】
【技術分野】
【０００１】本発明は、現在、あらゆる金券・権利が存在する中で、電子商取引において金券・権利を使用することができない。その問題を解決するための発明に関するものである。
【背景技術】
【０００２】従来、日本の電子商取引において金券・権利を使用できる決済方法は存在しないと言っても過言ではない。金券・権利を紙幣、硬貨同様に流通、管理することは極めて難しい。近年、偽造金券を識別する技術が発明され、金券の流通における安全性が確立されているにも関わらず、電子商取引における金券・権利の流通は皆無である。
【先行技術文献】
【０００３】
【特許文献１】  特開２０００−３０６０１０
【発明の概要】
【発明が解決しようとする課題】
【０００４】従来のように個人情報、金券・権利に関する情報、金券・権利の所有者情報等を、インターフェースで誰もが一括して変更・書き込みを可能にすると、安全性に欠け、実際に安全に流通していると表現することは極めて難しい。インターフェースの情報を書き換えるだけということは、作業性を考えると迅速であるが、現在、インターネットが急速に発達している点を考えると、迅速性よりも安全性を最も重要視しなければならない。日本の金券・権利の流通規模は膨大である。金券・権利を電子商取引で流通させることができないことで利便性を欠いていることは明らかである。現実にインターネット上で、電子商取引において金券を使用したいという声が存在することは事実である。
【課題を解決するための手段】
【０００５】各地に事業所・代理店・簡易ブースを設置し、それぞれをネットショップ・店舗、金券・権利を決済に使用したいユーザーを通信でつなぎ、金券・権利の情報、電子商取引における個人情報、注文情報を共有することで、電子商取引における金券の流通を迅速かつ可能にすることができる。ここでは従来のようにインターフェースのユーザーなら誰もが情報を変更・書き込みできる状態ではなく、ネットショップ・店舗だけが個人情報、注文情報、金券・権利に関する情報を、変更・書き込みを行うことを可能とし、総括して管理することで安全性に配慮したものとする。
【発明の効果】
【０００６】日本の金券・権利の流通規模は膨大で、これからの更なる拡大が見込まれるため電子商取引の決済に金券・権利が使用できるようになると利便性の点から経済の活性化が見込まれ、日本に影響を与える経済効果は多大なものとなる。
【図面の簡単な説明】
【０００７】
【図１】  本発明の組織図である。
【発明を実施するための形態】
【０００８】以下、本発明の実施の形態について図１を参照しつつ詳細に説明する。
電子商取引において金券・権利を使って決済を行う際、金券・権利を使って決済を行うユーザー（１）は、ネットショップ・店舗（３）もしくは事業所・代理店・簡易ブース（２）に金券・権利を受け渡さなければならない。この時の受け渡し方法は、持ち込み・発送などが挙げられる。事業所・代理店・簡易ブース（２）は金券・権利の受理があると通信でネットショップ・店舗（３）に報告する。ネットショップ・店舗（３）は、金券・権利を使って決済を行うユーザー（１）から直接の受理、もしくは、事業所・代理店・簡易ブース（２）からの通信で受理の報告を受けることで商品の発送・受け渡しを行う。情報の変更・書き込みは、ネットショップ・店舗（３）のみが総括して行える。金券・権利の受理を総括しているネットショップ・店舗（３）にのみ権限を与えることで安全な管理体制をとることが可能となる。このような組織を組むことにより安全かつ迅速に、電子商取引において金券・権利が流通していることを表現することができる。
【符号の説明】
【０００９】１  金券・権利を使って決済を行うユーザー
２  事業所・代理店・簡易ブース
３  ネットショップ・店舗
【図１】
2016164765.tif 000003
(57)【要約】【課題】ゴミ箱に袋を取り付けた場合、袋をゴミ箱の上部に折り返すことになる。すると外から袋が見える状態となる。ゴミ箱の上位が袋で隠れ、ゴミ箱のデザインを損ねている。また、袋が見えたままだと、見栄えも悪く清潔感に欠ける。【解決手段】袋を取り付けた時に、袋が表から見えないように、ゴミ箱の内側に袋を取り付けることによって、ゴミ箱の外側に袋が見えないようにする。伸縮するＣ型の形状の袋留めに、袋を取り付け、縮めながら使用するゴミ箱の直径に合わせ取り付ける。元のサイズに戻ろうとする袋留めの反発する性質を利用して、ゴミ箱の内側に取り付ける。【選択図】図１
2016164095.tif 000002
【特許請求の範囲】
【請求項１】
ゴミ箱に袋を取り付けた場合、袋が表に見えないことを特徴とするゴミ箱の袋留め。
【請求項２】
ゴミ箱の袋留めは、ゴミ箱の口の直径に合わせて縮み、袋を取り付けたときに、袋留めが元の形に戻ろうと反発する力で袋をゴミ箱の内側に取り付けることを特徴とする請求項１に記載のゴミ箱の袋留め。
【発明の詳細な説明】
【技術分野】
【０００１】本発明は、ゴミ箱に袋を取り付ける際に、袋が表に出ないように取り付けるものである。
【背景技術】
【０００２】ゴミ箱に袋を取り付けた場合、袋をゴミ箱のふちに折り返して取り付ける。すると、袋が常に見えている状態でゴミ箱のデザインの上部が隠れることになり、見栄えが悪かった。袋が表にでないようにするためのものである。
【発明の概要】
【０００３】袋留めが縮めた時に反発するという性質の素材でできているため、袋が表にでないようにゴミ箱の内側の淵に袋を取り付け、固定することができる
【発明が解決しようとする課題】
【０００４】ゴミ箱に袋を取り付けると、ゴミ箱の上部に袋の折り返しが見える。また、ゴミ箱のデザインが隠れてしまう。さらに、袋が見えていると清潔感がなく見栄えが悪いので、袋の折り返しが見えないように袋を取り付ける。
【課題を解決するための手段】
【０００５】伸縮性のある袋留めによって、ゴミ箱の内側に袋を取り付ける。
【発明の効果】
【０００６】本発明は、ゴミ箱に袋を取り付けた場合、袋が表にでないのでゴミ箱のデザインを損なわない。また、袋が外から見えないため、清潔感があり、見栄えが良いという最も主要な特徴とする。
【図面の簡単な説明】
【０００７】
【図１】  本発明に係わる袋留めの形態を示した斜視図である。
【図２】  袋留めの実施方法を示した説明図である。（実施例１）
【発明を実施するための形態】
【０００８】袋をゴミ箱に取り付ける場合、袋を袋留めに付け、ゴミ箱の口の半径に合わせて縮め、ゴミ箱に取り付ける。袋留めの形状が元に戻ろうとする反発の力でゴミ箱の淵にぴったり留る。
【図１】
2016164095.tif 000003
【図２】
2016164095.tif 000004
(57)【要約】      （修正有）【課題】ポスターを梱包する方法には、丸めて紙筒に入れる、小さく折り畳むという二つの方法が主流だったが、嵩張る、折り目が付く課題がある。ポスターに折り目をつけず、かつ、小さくかさばらないで梱包するために、専用の「芯」を提供する。【解決手段】角を半円形に丸く加工した木製又は樹脂製の板を「芯」とし、ポスターを巻きつける際、ポスターに折り目などのダメージを与えない。付録のポスターを雑誌に付ける際、折り目を付けずに本の間に挟み込むことができる。【選択図】図２
2016164096.tif 000002
【特許請求の範囲】
【請求項１】
角を半円形に丸く加工した木製又は樹脂製の、ポスターに折り目をつけずに畳める板。
【発明の詳細な説明】
【技術分野】
【０００１】  この発明は、ポスターに折り目をつけずに畳む板に関するものである。
【背景技術】
【０００２】  従来、ポスターを梱包する方法には、丸めて紙筒に入れる、小さく折り畳むという二つの方法が主流だった。
【先行技術文献】
【特許文献】
【０００３】
【特許文献１】
【発明の概要】
【発明が解決しようとする課題】
【０００４】これは次のような欠点があった。
（イ）ポスターを丸めて紙筒に入れる方法は「かさばる」。
（ロ）ポスターを小さく折り畳む方法は「折れ線がつく」。
本発明は、以上のような欠点をなくすためになされたものである。
【課題を解決するための手段】
【０００５】厚さ０．８〜２センチくらいの木製、又は樹脂製の、長辺のみ角を丸く加工した板を芯にして、ポスターを巻きつける。
【発明の効果】
【０００６】ポスターを巻きつける板のエッジ部分が丸くなっているので、折り目が付くことがない。付録のポスターを雑誌に付ける際、折り目を付けずに本の間に挟み込むことができる。
また、板状に薄く梱包できるので、（発送する場合、）送り賃を節約できる。
【図面の簡単な説明】
【０００７】
【図１】本発明の斜視図である。
【図２】本発明の断面図である。
【発明を実施するための形態】
【０００８】以下、本発明を実施するための形態について説明する。
（長辺のみ）角を丸く加工した板（図１）。
本発明は、以上のような構造である。
板の長辺より少し小さいサイズのポスターを、板に沿って巻きつけて使用する（図２）。
【符号の説明】
【０００９】１  巻きつけるポスター
２  本商品の、真横からの断面図
【図１】
2016164096.tif 000003
【図２】
2016164096.tif 000004
(57)【要約】      （修正有）【課題】冷蔵庫、または、保温庫の扉を開けずに、飲料容器の残量を確認し、飲料容器の内容物を、容易且つ、簡単にカップへ注ぐ事ができる。【解決手段】（イ）冷蔵庫扉の一部の領域に設けた外部から操作可能な専用ホルダー３に内容物５が入っている飲料容器４をセットする。（ロ）専用ホルダー３に設けてある取って８を動かして内容物５をカップに注ぐ。注ぎ終えたら取って８を元の位置に戻し、冷蔵庫を密閉する。キャップは必要に応じて開け閉めを行う。（ハ）保温庫の場合であっても同様の構成である。【選択図】図２
2016164075.tif 000002
【特許請求の範囲】
【請求項１】
飲料容器の保存方法として、冷蔵庫、保温庫があり、その前面の扉の一部、または、全部の領域を
利用し、飲料容器専用ホルダーを設けて、外側から直接、飲料容器の内容物をカップに注ぐ事が出来き、
たとえば、冷蔵庫扉の一部の領域に設けた専用ホルダーに、飲料容器を定められて位置に、セットする
専用ホルダーの底部には飲料容器を上下に移動できる移動棚、又は、リフター構造を設けてあり、専用ホルダーに設けた、外側から操作可能な取っ手を手前に引いて、飲料容器の内容物を冷蔵庫の扉を
開けずに、コップに注げることを特徴とした飲料容器専用ホルダー。
【請求項２】
冷蔵庫扉、あるいは、保温庫の前扉に飲料容器を専用ホルダーを設けて、専用ホルダーに飲料容器を
セットしている状態で、飲料容器の一部、或いは、容器全体を見えるよう前面部分の全体、或いは、
一部を透明な材質で飲料容器を可視化したことを特徴とした請求項１に記載の飲料容器専用ホルダー。
【発明の詳細な説明】
【技術分野】
【０００１】
この発明は、飲料容器の保存方法の一つとして、冷蔵庫、或いは、保温庫があり、その前面の扉の一部、または、全部の領域を利用し、飲料容器専用ホルダーを設けて、外側または外部から直接、飲料容器の内容物をカップに注ぐ事が出来る構造の飲料容器専用ホルダーに関するものである
【背景技術】
【０００２】
従来は、冷蔵庫の扉を開け、飲料容器を取り出し、カップなどに注ぎ、注ぎ終えたら、再び、冷蔵庫の扉を開け、飲料容器を冷蔵庫の扉内側のポケットなどに戻していた。或いは、扉は開けっぱなしで、カップに注ぎ、冷蔵庫に戻していた。  保温庫の場合も同様な動作で行うことが一般的であった。
【発明の開示】
【発明が解決しようとする課題】
【０００３】
この形態には。次のような欠点があった。
（イ）たとえば、冷蔵庫内に保管している冷やされた飲料容器を取り出し、カップに移し終えたら、再び冷蔵庫に戻す為、扉を１、２回、開閉する事で、冷蔵庫内の温度が上昇し、庫内を冷却する必要があり、電気エネルギーを消費していた。
（ロ）また、飲料容器の内容物残量を確認する時も、同様な動作を行う必要があり、同様に、電気エネルギーを消費していた。
（ハ）冷蔵庫の扉が、透明な材料でない事から、扉を開けずに、飲料容器の内容物の残量を、確認出来なかった。
【課題を解決するための手段】
【０００４】
冷蔵庫、または、保温庫の扉の一部、または全部の領域を利用し、飲料容器専用ホルダーを設け、その専用ホルダーの、前面部分の全部、或いは一部を透明な材料を使用した構造で、可視化した。
第１の発明は、飲料容器の保存方法として、冷蔵庫、保温庫があり、その前面の扉の一部、または、全部の領域を利用し、飲料容器専用ホルダーを設けて、外側から直接、飲料容器の内容物をカップに注ぐ事が出来き、たとえば、冷蔵庫扉の一部の領域に設けた専用ホルダーに、飲料容器を定められて位置に、セットする専用ホルダーの底部には飲料容器を上下に移動できる移動棚、又は、リフター構造を設けてあり、専用ホルダーに設けた、外側から操作可能な取っ手を手前に引いて、飲料容器の内容物を冷蔵庫の扉を開けずに、コップに注げる飲料容器専用ホルダー。
第２の発明は、第１の発明において、冷蔵庫扉、あるいは、保温庫の前扉に飲料容器を専用ホルダーを設けて、専用ホルダーに飲料容器をセットしている状態で、飲料容器の一部、或いは、容器全体を見えるよう前面部分の全体、或いは、一部を透明な材質で飲料容器を可視化したことを特徴とした飲料容器専用ホルダー。
【発明の効果】
【０００５】
たとえば、冷蔵庫内の飲料容器から内容物をカップへ注ぐ時、冷蔵庫の扉を開閉せず、注ぐ事ができる冷蔵庫内の飲料容器の内容物残量を、冷蔵庫の扉を開けずに確認出来る。以上の事から、冷蔵庫の扉を開閉する必要が無い為、冷蔵庫内の保冷を保ち、省エネ効果が高い。保温庫の場合も、同様の効果を期待できる
【発明を実施するための最良の形態】
【０００６】
以下に冷蔵庫扉を例として、本発明の実施形態を図１〜図３を用いて説明する。
（イ）冷蔵庫扉（１）の扉部（２）の一部の領域に設けた、専用ホルダー（３）に飲料容器（４）をセット。専用ホルダー（３）は、飲料容器（４）の底の台座付近にある、支点を軸に回転動作する構造で、その回転角度は１００度以上回転する
（ロ）専用ホルダー（３）には飲料容器（４）の飛び出し防止対策として、飲料容器（４）の高さに適応させるよう、ストッパー（１３）が設けてあり、リフター（９）あるいは、可動式棚で高さを調整する
（ハ）飲料容器（４）の内容物（５）の残量を確認し、カップ（６）を飲料容器（４）の注ぎ口（７）の位置に合わせ、取って（８）を操作してカップ（６）へ適量を注ぎ、取手（８）を戻し、冷蔵庫を密閉する
（ニ）（ハ）に記載した、手動で行う動作をモーターなどによる駆動方式に変更し、電動化に置き換えることも出来る
本発明は以上の構成で、冷蔵庫内部にある飲料容器（４）から、冷蔵庫扉（１）を開けずに、外部から取り出し可能な、専用ホルダー（３）を設け、取って（８）を引きながら、飲料容器（４）から、内容物（５）を、カップ（６）に注ぐ事が出来る。キャップ（１０）は、必要に応じて開け閉めを行う
【図面の簡単な説明】
【０００７】
【図１】本発明の正面図である。
【図２】本発明の側面よりみた断面図１である。
【図３】本発明のホルダー部の断面図２である
【図４】本発明の斜図である
【符号の説明】
【０００８】
１．冷蔵庫扉
２．扉部
３．専用ホルダー
４．飲料容器
５．内容物
６．カップ
７．注ぎ口（飲料容器）
８．取って
９．リフター（可動式棚）
１０．キャップ（飲料容器）
１１．上扉
１２．下扉
１３．ストッパー
【図１】
2016164075.tif 000003
【図２】
2016164075.tif 000004
【図３】
2016164075.tif 000005
【図４】
2016164075.tif 000006